(57)【要約】  本発明は、眼鏡を衣服に取り付けるためのデバイスに関し、このデバイスは、衣服に固定するための手段が配置された細長い素子を備え、この細長い素子には、眼鏡テンプルを取り付けるための複数の手段が配置される。
2019507900.tif 000002
【特許請求の範囲】
【請求項１】
眼鏡を取り付けるためのデバイス（８）であって、
衣服に固定するための手段（２）が配置された細長い素子（１）を備え、
前記細長い素子には、眼鏡テンプルを取り付けるための複数の手段（３、３’）が配置されることを特徴とするデバイス。
【請求項２】
前記細長い素子（１）が、筆記具、モバイル装置のためのスタイラスペン、懐中電灯、小型工具またはレーザポインタであることを特徴とする請求項１に記載のデバイス。
【請求項３】
衣服に固定するための前記手段（２）が、クリップ式クランプであることを特徴とする請求項１または２に記載のデバイス。
【請求項４】
前記テンプルを取り付けるための前記手段（３、３’）が、前記眼鏡テンプル（７）を挿入するように構成されたリングであることを特徴とする請求項１から３のいずれか１項に記載のデバイス。
【請求項５】
前記テンプルを取り付けるための前記手段（３、３’）が、前記眼鏡テンプル（７）が押すことによって挿入されるように構成されたクランプであることを特徴とする請求項１から３のいずれか１項に記載のデバイス。
【請求項６】
前記テンプルを取り付けるための前記手段（３、３’）が、取り外し可能であり、かつ、押すことによって、前記細長い素子の表面に位置する穴部（４、４’）を介して前記細長い素子に固定されることを特徴とする請求項１から５のいずれか１項に記載のデバイス。
【発明の詳細な説明】
【技術分野】
【０００１】
本発明は、使用可能な品目を取り付けて搬送することを意図したデバイスの分野に属する。特に、本発明は、眼鏡に取り付けるためのデバイスであって、眼鏡を使用していないときに眼鏡を衣服に固定することを可能とするデバイスに、関する。
【背景技術】
【０００２】
眼鏡を衣服に取り付けることは、ユーザにとって不都合を引き起こす。眼鏡は、通常、眼鏡の一方のテンプルをポケットまたはネックラインに挿入することによって、シャツ／ブラウスのポケットまたはネックラインから吊り下げられる。しかしながら、このタイプの取り付けは、非常に不安定であり、適切な寸法及び配置のシャツのネックラインまたはポケットがあることを必要とする。
【０００３】
この問題は、眼鏡の一方のテンプルに付着する様々なデバイスの開発を引き起こしており、これらデバイスは、クリップ式素子を用いて、任意の衣服に眼鏡を取り付けることを可能とする。しかしながら、公知のデバイスは、多くの欠点を有する。一方で、これらデバイスの一部（特許文献１、２で説明されているデバイスのような）は、フレーム内に直接製造されており、これらデバイスを別の眼鏡で使用することを可能としていない。さらに、これらデバイスは、眼鏡を使用中であっても、眼鏡のテンプルにあり、このデバイスが伴う利便性及び審美性の明らかな問題がある。
【０００４】
あるいは、特許文献３にあるようにオーダーメイドの硬質素子を用いて、または、特許文献４にあるように弾性バンドを用いて、眼鏡のテンプルに非恒久的に取り付けられる他のデバイスがある。これらデバイスが様々なメガネフレームで使用され得るという利点をこれらデバイスが有しているにも関わらず、これらデバイスは、これらデバイスの使用中にも関わらず眼鏡のテンプルと共に保持されるように設計されているので、審美性の及び利便性の問題を依然として生じる。
【先行技術文献】
【特許文献】
【０００５】
【特許文献１】米国特許出願公開第２００５／１２８４３０号明細書
【特許文献２】米国特許第６３４３８５９号明細書
【特許文献３】米国特許第３８８３２３６号明細書
【特許文献４】米国特許第４９０３３７５号明細書
【発明の概要】
【発明が解決しようとする課題】
【０００６】
本発明の発明者は、独創的なデバイスを用いて眼鏡を衣服に取り付ける不安定性を排除することに対処している。上記デバイスは、眼鏡に恒久的に取り付けられる素子を有していないので、従来技術に対していくつかの利点を有し、このデバイスは、迅速に引掛けること及び外すことを可能とし、いくつかのフレームで使用し得る。このいくつかのフレームで使用し得る特徴は、使用している度付き眼鏡とサングラスとを容易に交換することを可能とするので、特に興味深い。さらに、上記取付デバイスは、眼鏡を取り付ける機能に加えて、いくつかの機能性を有し得る。
【課題を解決するための手段】
【０００７】
特に、本発明は、眼鏡を取り付けるためのデバイスを開示しており、このデバイスは、衣服に固定するための手段が配置された細長い素子を備え、細長い素子には、眼鏡テンプルを取り付けるための複数の手段が配置される。
【０００８】
上記デバイスは、固定手段によって衣類に取り付けられたままであり、眼鏡の一方のテンプルを上記デバイスに位置する固定手段に引っ掛けることによって上記眼鏡を容易に取り付けることを可能とする。ユーザが眼鏡を使用したい時、眼鏡は、上記デバイスを衣類から分離させる必要なくデバイスから容易に外され、眼鏡は、上記デバイスから自由になる。
【０００９】
選択的に、細長い素子は、眼鏡を取り付けるために使用されていないときに追加の機能性を有し得る、例えば、細長い素子は、特に、ボールペン、シャープペンシル、モバイル装置のためのスタイラスペン、懐中電灯、小型工具またはレーザポインタであり得る。
【００１０】
好ましくは、デバイスにおけるデバイスを衣類に固定するための手段は、プラスチックまたは金属で形成されたクリップ式クランプである。
【００１１】
本発明の好ましい形態において、デバイスを眼鏡に取り付けるための手段は、眼鏡テンプルをこれら手段に挿入し得るように構成された少なくとも２つのリングである。本発明の別の形態において、上記取付手段は、眼鏡テンプルを押すことによって挿入し得るように構成された少なくとも２つのクランプである。上記クランプは、テンプルの形状及び寸法にかかわらず、テンプルをデバイスに容易に装着することを可能とする。
【００１２】
好ましくは、テンプルを取り付けるための手段は、取り外し可能であり、かつ、押すことによって、細長い素子の表面に位置する穴部を介して細長い素子に固定される。
【００１３】
本発明のよりより理解のため、例示的ではあるが限定的ではない図面に基づいて、様々な例示的な実施形態を以下で説明する。
【図面の簡単な説明】
【００１４】
【図１】本発明の可能性のある実施形態にかかる眼鏡を取り付けるためのデバイスを示す斜視図であって、テンプルを取り付けるための手段が細長い素子内に挿入されていない、斜視図である。
【図２】本発明の可能性のある実施形態にかかる眼鏡を取り付けるためのデバイスを、上記デバイスに取り付けるために適切な位置にある眼鏡と共に示す斜視図である。
【図３】本発明の可能性のある実施形態にかかる眼鏡を取り付けるためのデバイスを示す斜視図であって、眼鏡のテンプルが取付素子として機能するリング内に挿入されている、斜視図である。
【図４】本発明の可能性のある実施形態にかかる眼鏡を取り付けるためのデバイスを、リングを用いて上記デバイスによって取り付けられた眼鏡と共に示す斜視図である。
【図５】本発明の可能性のある実施形態にかかる眼鏡を取り付けるためのデバイスを、クランプを用いて上記デバイスによって取り付けられた眼鏡と共に示す斜視図である。
【図６】本発明の可能性のある実施形態にかかる眼鏡を取り付けるためのデバイスを示す斜視図であって、取付手段としてのリングがユーザのシャツポケットに固定されている、斜視図である。
【図７】本発明の可能性のある実施形態にかかる眼鏡を取り付けるためのデバイスを示す斜視図であって、取付手段としてのクランプがユーザのシャツポケットに固定されている、斜視図である。
【図８】本発明の可能性のある実施形態にかかる眼鏡を取り付けるためのデバイスを示す斜視図であって、眼鏡が上記デバイスに取り付けられており、上記デバイスがユーザのシャツポケットに固定されている、斜視図である。
【発明を実施するための形態】
【００１５】
図１に示す本発明の一実施形態においてわかるように、眼鏡を衣服に取り付けるためのデバイスは、細長い素子１と、衣服に固定するための手段２と、眼鏡のテンプルを取り付けるための手段３、３’と、を有する。
【００１６】
細長い素子は、押すことによって眼鏡取付手段３、３’を固定するための適切な配置及び寸法からなる２つの穴部４、４’を有する。
【００１７】
同様に、細長い素子は、先端部５を有し、この先端部は、眼鏡を取り付けるためのデバイスにさらなる機能性を付与し得る、例えば、この機能性は、とりわけ、ボールペン、シャープペンシル、モバイル装置のスタイラスペン、懐中電灯、小型工具またはレーザポインタであり得る。
【００１８】
図２に示すように、眼鏡６を細長い素子１に取り付けるため、眼鏡を取り付けるための手段が２つのリング３、３’である場合、上記眼鏡は、眼鏡の一方のテンプル７が上記クランプと平行に位置した状態で位置付けられなければならない。
【００１９】
図３は、眼鏡を取り付けるための手段が２つのリング３、３’である場合に、眼鏡６を細長い素子１に取り付けることを示している。本発明のこの実施形態において、眼鏡のテンプル７は、上記リング３、３’に挿入されている。
【００２０】
図４及び図５は、上記眼鏡のテンプル７が取付素子３、３’を介して細長い素子１に固定される場合における眼鏡６の配置を示し、これら素子は、２つのリング（図４）または２つのクランプ（図５）である。
【００２１】
図６及び図７は、デバイスをシャツポケット９に固定したときのデバイス８の配置を示す。眼鏡取付手段３、３’は、ポケットから出ており、これら手段は、２つのリング（図６）または２つのクランプ（図７）である。
【００２２】
図８は、本発明のデバイスをシャツポケット９に固定したときにおけるデバイス８に取り付けられた眼鏡６の配置を示す。
【００２３】
本発明を好ましい例示的な実施形態に関連して説明したが、これら実施形態は、本発明を限定するとみなされず、本発明は、以下の特許請求の範囲の最も広い解釈によって規定される。
【符号の説明】
【００２４】
１  細長い素子、２  衣服に固定するための手段、３，３’  眼鏡テンプルを取り付けるための手段、４，４’  穴部、７  眼鏡テンプル、８  デバイス
【図１】
2019507900.tif 000003
【図２】
2019507900.tif 000004
【図３】
2019507900.tif 000005
【図４】
2019507900.tif 000006
【図５】
2019507900.tif 000007
【図６】
2019507900.tif 000008
【図７】
2019507900.tif 000009
【図８】
2019507900.tif 000010
【国際調査報告】
2019507900.tif 000011
2019507900.tif 000012
2019507900.tif 000013
2019507900.tif 000014
2019507900.tif 000015
2019507900.tif 000016